(57)【要約】【課題】複数の薬液注入対象層及び薬液注入不要層からなる互層地盤において、効率よく安定した改良体を形成することができる薬液注入工法を提供する。【解決手段】複数の薬液注入対象層及び薬液注入不要層とからなる互層地盤を所定深度まで掘削して挿入孔を形成するとともに、注入口を外面部に有する注入管をその挿入孔内に建込み、この注入管の注入口から薬液注入対象層に薬液を注入する工法において、前記注入に先立って、予め複数の薬液注入対象層に対して注入速度試験を行い、その試験におけるそれぞれの層の許容注入速度を求めておき、薬液注入に際しては、複数の薬液注入対象層に対し、それぞれの層の許容注入速度で薬液注入を行なう。【選択図】図３
2007231617.tif 000002
【特許請求の範囲】
【請求項１】
複数の薬液注入対象層及び薬液注入不要層とからなる互層地盤を所定深度まで掘削して挿入孔を形成するとともに、注入口を外面部に有する注入管をその挿入孔内に建込み、この注入管の注入口から薬液注入対象層に薬液を注入する工法において、
前記注入に先立って、予め複数の薬液注入対象層に対して注入速度試験を行い、その試験におけるそれぞれの層の許容注入速度を求めておき、
薬液注入に際しては、複数の薬液注入対象層に対し、それぞれの層の許容注入速度で薬液注入を行なう、
ことを特徴とする薬液注入工法。
許容注入速度（リットル／ｍｉｎ）：注入速度試験におけるｐ−ｑ曲線の初期直線勾配からこのｐ−ｑ曲線が分岐する分岐点に対応する速度を最適注入速度とし、この最適注入速度以上で限界注入速度以下の注入速度。
【請求項２】
複数の薬液注入対象層及び薬液注入不要層とからなる互層地盤を所定深度まで掘削して挿入孔を形成するとともに、注入口を外面部に有する注入管をその挿入孔内に建込み、この注入管の注入口から薬液注入対象層に薬液を注入する工法において、
前記注入に先立って、予め複数の薬液注入対象層に対して注入速度試験を行い、その試験におけるそれぞれの層の許容注入速度と、各許容注入速度に対応する許容注入圧力を求めておき、
かつ、予め薬液注入時の最大注入圧力たる管理圧力と、最大注入圧力時における注入速度たる管理注入速度とを設定し、
薬液注入に際しては、注入圧力及び注入速度を測定して監視し、
その監視の結果、複数の薬液注入対象層に対して、測定注入圧力が前記管理圧力以下のときには前記管理注入速度で注入する一方、測定注入圧力が管理圧力を超えたときにはその超過を打ち消すように注入速度を落として注入する、注入制御を行う、
ことを特徴とする薬液注入工法。
許容注入速度（リットル／ｍｉｎ）：注入速度試験におけるｐ−ｑ曲線の初期直線勾配からこのｐ−ｑ曲線が分岐する分岐点に対応する速度を最適注入速度とし、この最適注入速度以上で限界注入速度以下の注入速度。
【請求項３】
薬液を注入する薬液注入装置は、ミキシングプラントと、このミキシングプラントと管路によって接続された一つのポンプと、このポンプに対して管路を介して直列的に接続された複数の注入管とを備え、
各注入管には、注入圧力及び注入速度を調整可能な注入調整手段が取付けられ、
隣接する注入管は、リターンバルブを介して接続されている、
ことを特徴とする請求項１又は２記載の薬液注入工法。
【発明の詳細な説明】
【技術分野】
【０００１】
本発明は、地盤改良のための薬液注入工法に関するものである。
【背景技術】
【０００２】
薬液注入工法および装置は、主に昭和４０年代の後半から昭和５０年代において多くの改良が加えられてきた。現在も使用されている代表例はロッド注入工法、ストレーナ注入工法、および二重管ダブルパッカー注入工法である。
このうち二重管ダブルパッカー注入工法は、確実な浸透注入を行うことができる点で優れている。
【０００３】
二重管ダブルパッカー注入においては、予め対象地盤を所定深度まで掘削して挿入孔を形成し、その挿入孔内に二重管ダブルパッカー注入用注入管（外管と内管を備える）を挿入する。また、挿入孔と注入管との間にはクリアランスが生じ、薬液を注入したとき、その薬液が地上に流出してしまうので、予め、そのクリアランスにセメントベントナイト充填材を充填しておき、薬液の圧送圧によりそのセメントベントナイト充填材を割裂させながら、地盤内に薬液を注入する。
【０００４】
また本出願人らは、特許文献１において、対象地盤を所定深度まで掘削して挿入孔を形成するとともに、軸方向に間隔をおいて複数のパッカーを外面部に有し、かつ隣接するパッカー間に注入口を有する注入管を前記挿入孔内に建込み、前記隣接する両パッカーを膨出させて前記挿入孔壁面に密着させ、このとき前記隣接パッカーと挿入孔壁面と注入管外面とで囲まれる領域を空間とした状態で、前記注入口から薬液を注入する工法を提案している。この工法は、前述の二重管ダブルパッカー注入工法と比べて、浸透効率が著しく高いため、注入速度の許容範囲が広く、注入速度を増加させても割裂を生じにくく、より均質かつ大径の改良体を造成できる利点がある。
【０００５】
一方、この先行技術を含む薬液注入工法においては、従来から注入速度を管理・制御し、造成される改良体の均質化を図ることが行われている。具体的には、現場でいわゆる限界注入速度試験を行い、限界注入速度を求め、この限界注入速度以下で注入を行う手法が広く採用されている。ここで、限界注入速度は、注入対象地盤に薬液注入を行なう場合に、良好な改良体形状（固結形状）を得ることができる注入速度の上限値（最大許容注入速度）であり、ここでいう良好な改良体形状とは、一点注入を行なった場合に略球形状の固結体が得られる状態のことをいう。
【０００６】
限界注入速度試験は、当業者にとっては周知であるので、ここでは概略的な説明をする（土質工学会  平成５年３月  「薬液注入工法における注入効果の予測確認手法に関するシンポジウム」発表論文集参照）。先ず、下記［１］〜［６］のようにして対象地盤に試験孔を設け、測定機器を準備する。なお、図７に準備完了状態を示した。
[１]  試験深度まで直径８６〜１００ｍｍ程度のケーシングを用いて削孔を行う。削孔完了後、ケーシング内のスライムは清水で洗浄する。
[２]  スライム洗浄後、ケーシング内にセメントベントナイト液等のシール材を充填する。
[３]  先端キャップを取り付けた内径５１ｍｍの硬質塩化ビニール管１０１を、シール材１０２を充填したケーシング内に挿入し、先端が孔底に密着するように固定する。
[４]  ケーシングを引き上げて、シール材１０２の硬化を待つ。
[５]  シール材１０２の硬化後、ボーリングにより硬質塩化ビニール管１０１の先端キャップに直径４０．５ｍｍの孔をあけ、さらに深さ１００ｍｍ、直径４０．５ｍｍの素掘り孔１０３を清水掘りにより形成する。
[６]  他方、地上部においては、硬質塩化ビニール管１０２の上部を、送水路１０４および注入圧力・注入速度測定器１０５を介して送水ポンプ１０６に接続し、送水ポンプ１０６の入側は水タンク１０７に接続する。また、測定器１０５の入側には送水流量制御バルブ１０８を介在させるとともに、この送水流量制御バルブ１０８と送水ポンプ１０６との間の送水経路から分岐して水タンク１０６に至る返送路１１０を設け、その送水経路近傍に返送流量制御バルブ１０９を設ける。
【０００７】
かくして試験準備が完了したならば、送水ポンプ１０６を定量作動させ、送水流量制御バルブ１０８および返送流量制御バルブ１０９によって注入速度を０（リットル／ｍｉｎ）から２０（リットル／ｍｉｎ）まで増加させ、次いで再び０（リットル／ｍｉｎ）まで減少させながら、測定器１０５により注入圧力を測定する。標準的には、増加過程から１２段階、減少過程から５段階選定して圧力測定を行う。次いで、圧力測定値から有効注入圧力を次式により算出する。
Ｐ  ＝  Ｐｏ  −  Ｐｒ  ＋  γｗ・ｈ              ・・・（１）
ここに、Ｐは有効注入圧力（ＭＰａ）であり、Ｐｏは圧力測定値、Ｐｒは管内抵抗、γｗは、水の単位体積重量、ｈは測定器１０５の圧力センサー位置と自然地下水位との標高差である。特に管内抵抗の影響が懸念される場合は、予め試験装置を用いて管内抵抗を測定するが、上述のように硬質塩化ビニール管を用いた場合にはその抵抗は無視できる。
【０００８】
次に、算出した有効注入圧力と注入速度とに基づいてｐ−ｑ曲線を作図する。図８はｐ−ｑ曲線の作図例である。限界注入速度はこの図から次のようにして求めることができる。先ず、初期直線勾配ａを求め、次式により限界勾配ｂを求める。
ｂ  ＝  ｍ  ×  ａ                                ・・・（２）
ここにｍは、限界比であり、薬液の粘性係数が２〜３ｃｐの場合で０．２〜０．５となる。標準値は０．３である。
【０００９】
限界勾配が得られたならば、限界勾配線を作図して、この勾配線とｐ−ｑ曲線との交点Ｒを求め、交点Ｒにおける注入速度を限界注入速度とする。
以上のようにして得られた限界注入速度は、それよりも少ない注入速度で注入している限り、完全に浸透のみによる注入を行うことができるものと考えられている。  
【特許文献１】特開２００６−０８０６４０号公報
【発明の開示】
【発明が解決しようとする課題】
【００１０】
しかしながら、複数の薬液注入対象層及び薬液注入不要層（薬液注入を必要としない層）が互層（岩質の異なる単層が交互に繰り返し重なりあった地層）をなしている場合、例えば、土丹層と砂層等の未固結地盤層とからなる互層地盤の場合、砂層（介在砂層）が上下を土丹層で挟まれているため、従来の定吐出量、定注入量で施工すると、改良にムラが生じ、均質かつ大径の改良体は困難であるという問題がある。なお、土丹とは、一般的には、石のように硬い土質層の総称であり、粘土層が圧密で非常に硬くなり泥岩化したものである。また、掘削に対して大きな抵抗を示す地盤の一種でもある。
そこで、本発明の主たる課題は、複数の薬液注入対象層及び薬液注入不要層からなる互層地盤において、効率よく安定した改良体を形成することができる薬液注入工法を提供することにある。
【課題を解決するための手段】
【００１１】
上記課題を解決した本発明は、次のとおりである。
＜請求項１記載の発明＞
請求項１記載の発明は、複数の薬液注入対象層及び薬液注入不要層とからなる互層地盤を所定深度まで掘削して挿入孔を形成するとともに、注入口を外面部に有する注入管をその挿入孔内に建込み、この注入管の注入口から薬液注入対象層に薬液を注入する工法において、前記注入に先立って、予め複数の薬液注入対象層に対して注入速度試験を行い、その試験におけるそれぞれの層の許容注入速度を求めておき、薬液注入に際しては、複数の薬液注入対象層に対し、それぞれの層の許容注入速度で薬液注入を行なう、ことを特徴とする薬液注入工法であり、ここで許容注入速度（リットル／ｍｉｎ）とは注入速度試験におけるｐ−ｑ曲線の初期直線勾配からこのｐ−ｑ曲線が分岐する分岐点に対応する速度を最適注入速度とし、この最適注入速度以上で限界注入速度以下の注入速度である。
【００１２】
＜請求項２記載の発明＞
請求項２記載の発明は、複数の薬液注入対象層及び薬液注入不要層とからなる互層地盤を所定深度まで掘削して挿入孔を形成するとともに、注入口を外面部に有する注入管をその挿入孔内に建込み、この注入管の注入口から薬液注入対象層に薬液を注入する工法において、前記注入に先立って、予め複数の薬液注入対象層に対して注入速度試験を行い、その試験におけるそれぞれの層の許容注入速度と、各許容注入速度に対応する許容注入圧力を求めておき、かつ、予め薬液注入時の最大注入圧力たる管理圧力と、最大注入圧力時における注入速度たる管理注入速度とを設定し、薬液注入に際しては、注入圧力及び注入速度を測定して監視し、その監視の結果、複数の薬液注入対象層に対して、測定注入圧力が前記管理圧力以下のときには前記管理注入速度で注入する一方、測定注入圧力が管理圧力を超えたときにはその超過を打ち消すように注入速度を落として注入する、注入制御を行う、ことを特徴とする薬液注入工法であり、ここで許容注入速度（リットル／ｍｉｎ）とは注入速度試験におけるｐ−ｑ曲線の初期直線勾配からこのｐ−ｑ曲線が分岐する分岐点に対応する速度を最適注入速度とし、この最適注入速度以上で限界注入速度以下の注入速度である。
【００１３】
（作用効果）
注入に先立って、予め複数の薬液注入対象層に対して注入速度試験を行い、その試験におけるそれぞれの層の許容注入速度を求めておき、薬液注入に際しては、複数の薬液注入対象層に対し、それぞれの層の許容注入速度で薬液注入を行なうことにより、割裂を生じることなく良好な改良体を形成することができ、確実に薬液注入対象層を改良することができる。
また、注入に先立って、予め複数の薬液注入対象層に対して注入速度試験を行い、その試験におけるそれぞれの層の許容注入速度と、各許容注入速度に対応する許容注入圧力を求めておき、かつ、予め薬液注入時の最大注入圧力たる管理圧力と、最大注入圧力時における注入速度たる管理注入速度とを設定し、薬液注入に際しては、注入圧力及び注入速度を測定して監視し、その監視の結果、複数の薬液注入対象層に対して、測定注入圧力が前記管理圧力以下のときには前記管理注入速度で注入する一方、測定注入圧力が管理圧力を超えたときにはその超過を打ち消すように注入速度を落として注入する、注入制御を行うこともできる。この工法によれば、許容注入速度の管理が容易となり施工効率が向上する。
【００１４】
＜請求項３記載の発明＞
請求項３記載の発明は、ミキシングプラントと、このミキシングプラントと管路によって接続された一つのポンプと、このポンプに対して管路を介して直列的に接続された複数の注入管とを備え、各注入管には、注入圧力及び注入速度を調整可能な注入調整手段が取付けられ、隣接する注入管は、リターンバルブを介して接続されている、ことを特徴とする請求項１又は２記載の薬液注入工法である。
【００１５】
（作用効果）
薬液を注入する薬液注入装置は、ミキシングプラントと、このミキシングプラントと管路によって接続された一つのポンプと、このポンプに対して管路を介して直列的に接続された複数の注入管とを備え、各注入管には、注入圧力及び注入速度を調整可能な注入調整手段が取付けられ、隣接する注入管は、リターンバルブを介して接続されている構成とすることにより、従来の一つの注入管につき一ポンプの装置構成で、一孔ずつ順次施工をする場合に比べて、設備コストをかけることなく、施工効率を向上させることができる。
【発明の効果】
【００１６】
本発明によれば、複数の薬液注入対象層及び薬液注入不要層からなる互層地盤において、効率よく安定した改良体を形成することができる等の利点がもたらされる。
【発明を実施するための最良の形態】
【００１７】
以下、本発明の実施の形態を説明する。
＜本発明に係る注入速度測定試験＞
従来から、薬液注入対象層である砂層等の未固結地盤において、薬液注入工法で地盤を改良する場合には、地盤の透水係数、地質構成（砂、粘土等の区分）、工事目的を考慮して、工法、注入材料、注入仕様（注入速度、注入圧力、注入量）を選定し施工を行なっている。注入される薬液は、挿入孔より三次元球体状に広がる事を前提とし、注入速度は地盤の透水係数と比例関係で決定し、概ね８〜１６リットル／ｍｉｎ 程度で施工しているが、複数の薬液注入対象層及び薬液注入不要層とからなる互層地盤、例えば、土丹層と砂層等の未固結地盤層からなる互層地盤の場合、砂層（介在砂層）の厚みの厚いあるいは薄い（数〜数十ｃｍ単位）によらず一律の定吐出量、定注入量で施工すると、改良体形成に際し、薄い層において許容される注入速度を超えた注入速度で注入されることになり、割裂が生じていびつな改良体が形成され、不完全な地盤改良となってしまう。
【００１８】
そこで本出願人らは、薬液注入前の調査により介在砂層の厚みを調べ、その厚みに応じて許容される注入速度（リットル／ｍｉｎ）を求めることにより、効率よく安定した改良体を形成することができる薬液注入工法を発案した。
【００１９】
まず、介在砂層の厚みごとのｐ−ｑ曲線を求めるために、注入対象層に対して水注入をする注入速度測定試験（注入速度試験）を行う。そして、この試験によって得られる注入圧力（ＭＰａ）と注入速度（リットル／ｍｉｎ）の関係から介在砂層の厚みごとのｐ−ｑ曲線を求める。なお、注入速度測定試験の方法は、従来の限界注入速度試験と略同様のため詳細な説明は省略する。
【００２０】
図１に示すように、ｐ−ｑ曲線における原点を通る初期直線勾配を求める。なお、この初期直線勾配から注入対象地盤の透水係数が求められるが、粒度試験や現場透水試験から推定される透水係数と初期直線勾配から求められる透水係数とを比較し、初期直線勾配の大きさの妥当性を判断することが可能である。
【００２１】
注入速度測定試験により、介在砂層の厚みが薄い層として５ｃｍ層のｐ−ｑ曲線、厚みが中程度の層として１０ｃｍ層のｐ−ｑ曲線、厚い層として２０ｃｍ層のｐ−ｑ曲線を求め、図１に描写した。同一の注入速度（リットル／ｍｉｎ）では、層の厚みが厚いほど注入圧力が高くなっている。
【００２２】
ここで、先に求めた初期直線とからこれらのｐ−ｑ曲線が分岐する点の注入速度（リットル／ｍｉｎ）が、それぞれの最適注入速度（リットル／ｍｉｎ）となる。この最適注入速度は、介在砂層において均質な改良体を形成するのに最も適した速度である。
【００２３】
図１より、介在砂層の厚みと最適注入速度の速度量が比例関係にあることが分かる。したがって、介在砂層の厚みが厚ければ厚いほど最適注入速度の速度が速くなる。従来では透水係数（ｃｍ／ｓｅｃ）から注入速度（リットル／ｍｉｎ）を決定していたが、これに層厚（ｃｍ）の要素を加え、透水係数（ｃｍ／ｓｅｃ）と介在砂層の層厚（ｃｍ）との両方から注入速度（リットル／ｍｉｎ）を決定し、これに基づき施工することにより、確実に介在砂層を改良することが可能になる。なお、後述するように限界注入速度以下であれば、良好な改良体を形成しうるので、ある程度の範囲を持たせるため最適注入速度以上かつ限界注入速度以下を許容注入速度とし、この許容注入速度で注入を行なうこととする。
【００２４】
ここで、図２に基づき、注入圧力と注入速度の各段階における改良体の形状等について説明する。
原点（i）から（ii）点までの直線区間は、注入速度と有効注入圧力との関係に略比例関係が見られる初期直線勾配に相当する。この区間は、完全な浸透注入であり、土粒子構造を破壊する事無く、間隙内の水を押し出している状態である。この範囲内で注入すると改良体は三次元球体状の理想型状態に近い球体となる。
【００２５】
（ii）点から（iii）点までは曲線となり、その曲線勾配が次第に小さくなるが、注入速度の増加と共に有効注入圧力もまだ増加している段階である。この区間は、注入圧力が土粒子間に小さな亀裂（割裂）を発生させ、割裂脈が少しずつ進展し、地盤の透水性が向上された状態である。この範囲内で注入すると改良体はやや楕円に近い球体となる。
【００２６】
（iii）点から（iｖ）点（限界注入速度）までは、注入速度の増加につれて、有効注入圧力が減少し始める段階である。この段階では、割裂脈がさらに進展して割裂脈の厚さも増加することで浸透面も増加するため、有効注入圧力が低下すると考えられている。この範囲内で注入すると、改良体はややいびつな球体となるか、郡注入した場合、隣接した改良体同士連結してほぼ目的に合った改良体が形成できるとされている。
【００２７】
（iｖ）点（限界注入速度）以降は、大きく地盤に亀裂が発生し、扁平な改良体となると共に、薬液が注入範囲外に流出し、未固結部分が残りやすく、郡注入した場合、隣接した改良体同士の連結が悪く、目的の達成に問題が残る状態である。
【００２８】
＜本発明に係る薬液注入工法＞
本発明に係る薬液注入工法について、図３乃至図６に基づき土丹層と砂層等の未固結地盤層からなる互層地盤の場合の実施例に基づき以下に説明する。
透水係数（ｃｍ／ｓｅｃ）と介在砂層の層厚（ｃｍ）との両方から注入速度（リットル／ｍｉｎ）を決定し、これに基づき施工する場合、以下の問題点が発生する。すなわち、土丹の介在砂層は、一般的に透水性が小さい（１０-3〜１０-4ｃｍ／ｓｅｃ）ため試験により求められる最適注入速度は１〜２リットル／ｍｉｎ程度と小さくなる事が考えられる。このため、従来のように、一つの注入管につき一ポンプの装置構成で、一孔ずつ順次施工を行うと、施工効率が悪い。また、この装置を大量にセットして施工することも考えられるが、設備コストが掛かりすぎる。
【００２９】
そこで、上記の問題を解決するために、本発明に係る薬液注入工法では、各注入管ごとに注入圧力及び注入速度の調整機能のついたｐｑ記録計とリターンバルブを取付け、１台のポンプで各注入管から吐出される薬液の圧力及び速度を制御しながら注入を行うものである。
【００３０】
薬液注入装置は、図３に示すように、ミキシングプラント６０と、このミキシングプラント６０と管路６１によって接続された一つのポンプ６２と、このポンプ６２に対して管路６１を介して直列的に接続された複数の注入管Ｔ，Ｔ，…と、を備え、隣接する注入管Ｔ，Ｔは、リターンバルブ６３Ａ，６３Ａ，…を介して接続されている。この薬液注入装置には、各注入管Ｔ，Ｔ，…ごとにそれぞれｐｑ記録計６３Ｂが取付けられており、このｐｑ記録計６３Ｂによって注入圧力（ＭＰａ）と注入速度（リットル／ｍｉｎ）が記録されるようになっている。そして、このｐｑ記録計６３Ｂは注入調整手段６３としても機能し、注入圧力及び注入速度を調整することができる。
【００３１】
各介在砂層への注入量は、基本的には注入速度により管理されるが、予め管理された圧力（管理圧力）や管理された速度（管理速度）の上限を超えた場合には、超えた管理圧力又は管理速度のいずれかを維持するように、そのまま管理されることになる。
【００３２】
具体的には、注入に先立って、予め複数の薬液注入対象層に対して注入速度試験を行い、その試験におけるそれぞれの層の許容注入速度と、各許容注入速度に対応する許容注入圧力を求めておき、かつ、予め薬液注入時の最大注入圧力たる管理圧力と、最大注入圧力時における注入速度たる管理注入速度とを設定し、薬液注入に際しては、注入圧力及び注入速度を測定して監視し、その監視の結果、複数の薬液注入対象層に対して、測定注入圧力が前記管理圧力以下のときには前記管理注入速度で注入する一方、測定注入圧力が管理圧力を超えたときにはその超過を打ち消すように注入速度を落として注入するようにコンピュータ（図示せず）により注入制御を行うものである。
【００３３】
管路６１には、前述したｐｑ記録計６３Ｂと共に、複数のリターンバルブ６３Ａ，６３Ａ，…が取付けられており、これらリターンバルブ６３Ａ，６３Ａ，…の一方側に注入管Ｔが接続されていると共に、他方側に管路６１が接続されてミキシングプラント６０に到る循環経路になっている。このリターンバルブ６３Ａは、流量圧力を調整できるようになっており、このことにより注入管Ｔから地盤への注入圧力を調整できるようになっている。
【００３４】
ポンプ６２は、ポンプ量が各注入管Ｔ，Ｔ，…の注入量の合計と同一又はそれ以上の流量となるものを選べばよい。  
【００３５】
注入管Ｔについて説明すると、注入外管１０は、単位管を着脱自在に連結することにより形成され、この注入外管１０の外周には、注入口（図示せず）が形成されると共に、この吐出口は筒状の変形可能な素材（たとえばゴムなど）からなるスリーブ５、５…により被覆されている。他方、注入内管２０には、単一または長手方向に複数の吐出口（図示せず）が形成され、この吐出口の前後において注入外管１０の内面との間を液密に封止するパッカー部（図示せず）が形成され、注入外管１０内を軸方向に移動可能とされている。そして、薬液注入に先立って注入管外面と孔壁との間に逸走防止用充填材（たとえばセメントベントナイトなど）Ｓを充填し、薬液の圧送圧によりその逸走防止用充填材Ｓを割裂させながら、この注入管Ｔによって地盤内に薬液Ｇを注入するものである。なお、注入管Ｔとしては、他の公知の注入管を用いてもよい。
【００３６】
また、薬液Ｇとしては、水ガラス系の薬液、特にシリカゾル系薬液を用いることが浸透注入の点で好ましい。
【００３７】
実際の施工方法であるが、まず、改良対象の範囲を決めるために、図４に示すように、地上から事前に調査ボーリングを行う。このボーリング３２は、例えば、平面で５０〜１００ｍ間隔で１本程度でよい。
【００３８】
次に、より詳細な改良の範囲を決めるために、図５に示すように、坑内Ｙ（横坑内）から上下方向に調査ボーリングを行う。このボーリング３２，３２は、例えば、坑内Ｙの軸方向に数ｍピッチで行なえばよい。
【００３９】
次に、事前調査により確認された介在砂層において、図６に示すように、坑内Ｙから放射状にボーリングを行い介在砂層の層厚（ｃｍ）を計測すると共に、それぞれの挿入孔３１，３１，…に対し注入速度測定試験を行うことで、各層毎の注入速度を決定する。
【００４０】
注入速度測定試験を行った後、挿入孔３１，３１，…に対して注入管を挿入して施工を行なう。この施工を行うに際しては、図３に示したように、予め逸走防止用充填材Ｓを、挿入孔３１内に充填しておき、注入外管１０を、逸走防止用充填材Ｓにより填充された挿入孔３１内に相対的に挿入し、注入口を挿入孔３１壁に臨ませる。そして、注入内管１０を注入外管１０内に挿入し、注入外管１０内を軸方向に適宜移動させながら、注入作業を行なっていけばよい。
【００４１】
このとき、それぞれの孔３１，３１，…に対し行なわれた注入速度測定試験によって求められたそれぞれの許容注入速度を用い、各層毎の注入圧力（ＭＰａ），注入量等を決定し、各々の層毎に異なる仕様にて注入作業を行う。
【００４２】
各注入管Ｔ，Ｔ，…から吐出される薬液の注入圧力及び注入速度は、前述したようにｐｑ記録計６３Ｂによって管理・制御されており、各層に合わせた許容注入速度で各挿入孔３１，３１，…に対して注入を行なう。ただし、前述したように、管理圧力の上限を超えた場合には、管理圧力により注入量が管理されることになる。なお、一つの挿入孔３１に対しては一つの注入管Ｔにより注入することが望ましい。
施工方法のその他の部分については、公知の施工方法と略同様なため説明を省略する。
本発明に係る薬液注入工法によれば、従来工法に比べて時間の短縮を図ることができる。
【図面の簡単な説明】
【００４３】
【図１】介在砂層の厚みごとのｐ−ｑ曲線図である。
【図２】ｐ−ｑ曲線図である。
【図３】薬液注入装置の概略図である。
【図４】丹層と砂層等の未固結地盤層からなる互層地盤に対する地上からの事前調査ボーリングの概略図である。
【図５】その坑内からの事前調査ボーリングの概略図である。
【図６】各層ごとの注入速度測定試験の概略図である。
【図７】従来の一般的な注入速度試験装置の概略図である。
【図８】従来の一般的なｐ−ｑ曲線図である。
【符号の説明】
【００４４】
５…スリーブ、１０…注入外管、２０…注入内管、３０…対象地盤、３１…挿入孔、６０…ミキシングプラント、６１…管路、６２…ポンプ、６３…注入圧力調整手段、６３Ａ…リターンバルブ、６３Ｂ…ｐｑ記録計、１０５…注入圧力・注入速度測定器、１０６…送水ポンプ、１０７…水タンク、１０８…送水流量制御バルブ、１０９…返送流量制御、１１０…返送路、Ｇ…薬液、Ｔ…注入管、Ｙ…坑内。
【図１】
2007231617.tif 000003
【図２】
2007231617.tif 000004
【図３】
2007231617.tif 000005
【図４】
2007231617.tif 000006
【図５】
2007231617.tif 000007
【図６】
2007231617.tif 000008
【図７】
2007231617.tif 000009
【図８】
2007231617.tif 000010